(57)【要約】【課題】ＳＯＷＣを適切かつ確実に係合させる。【解決手段】モータによりＳＯＷＣの第１クラッチ部材もしくは第２クラッチ部材の回転速度を制御して、ＳＯＷＣを係合状態にする際に規制される方向の相対回転である正の差回転と、ＳＯＷＣを係合状態にする際に許容される方向の相対回転である負の差回転とをそれぞれ生じさせることが可能な車両用動力伝達機構の制御装置において、差回転が負の状態のＳＯＷＣを解放状態から係合状態に切り替える場合、ＳＯＷＣの差回転が正の状態となるようにモータを制御する回転制御を実行するとともに、ＳＯＷＣの差回転が負の状態の間に、第１クラッチ部材と第２クラッチ部材との間に配置されたストラットが第２部材側に突出する突出動作が完了するように、切替機構でストラットの第２クラッチ部材側への突出を許容する状態を設定するための係合制御を開始する。【選択図】図７
2015209054.tif 000002
【特許請求の範囲】
【請求項１】
相対回転可能な第１クラッチ部材ならびに第２クラッチ部材と、一部が前記第１クラッチ部材側から前記第２クラッチ部材側へ突出するように動作するストラットと、前記ストラットの前記第２クラッチ部材側への突出動作を許容する第１状態ならびに前記突出動作を阻止する第２状態を選択的に設定する切替機構とを有し、前記第１状態を設定して前記ストラットの一部が前記第２クラッチ部材側へ突出して前記第２クラッチ部材の一部と係合することにより正回転方向もしくは逆回転方向のいずれか一方向のみの前記相対回転を規制する係合状態と、前記第２状態を設定して前記ストラットを前記第２クラッチ部材側へ突出させないことにより正回転方向ならびに逆回転方向の両方向の前記相対回転を許容する解放状態とに切り替わるセレクタブルワンウェイクラッチ、および、前記第１回転部材もしくは前記第２回転部材のいずれか一方の回転部材の回転速度を制御することが可能なモータを備え、前記モータによって前記回転速度を制御することにより、前記セレクタブルワンウェイクラッチが前記係合状態になった場合に規制される方向の前記相対回転である正の差回転と、前記セレクタブルワンウェイクラッチが前記係合状態になった場合に許容される方向の前記相対回転である負の差回転とをそれぞれ生じさせることが可能な車両用動力伝達機構の制御装置において、
前記差回転が負の状態の前記セレクタブルワンウェイクラッチを前記解放状態から前記係合状態に切り替える場合、
負の状態の前記差回転が正の状態となるように、前記モータを制御する回転制御を実行するとともに、
前記差回転が負の状態の間に前記突出動作が完了するように、前記切替機構で前記第１状態を設定する係合制御を開始する
ことを特徴とする車両用動力伝達機構の制御装置。
【請求項２】
前記係合制御を実行する場合に前記突出動作が完了する時点における前記差回転の目標値として第１目標差回転が設定され、
前記差回転が前記第１目標差回転に到達する際に前記突出動作が完了するように、前記係合制御の開始時期を決めるための前記差回転の閾値として第２目標差回転が設定されていて、
前記差回転が前記第２目標差回転以上に正側に大きくなった場合に、前記係合制御を開始する
ことを特徴とする請求項１に記載の車両用動力伝達機構の制御装置。
【請求項３】
現在の前記差回転が既に前記第２目標差回転よりも正側に大きい場合は、前記回転制御における前記差回転の変化速度が遅くなるように、前記モータを制御することを特徴とする請求項２に記載の車両用動力伝達機構の制御装置。
【請求項４】
前記回転制御および前記係合制御の実行時に、前記差回転が前記第１目標差回転に到達した際に未だ前記突出動作が完了していない場合は、前記回転制御における前記差回転の変化速度が遅くなるように、前記モータを制御することを特徴とする請求項２または３に記載の車両用動力伝達機構の制御装置。
【請求項５】
前記セレクタブルワンウェイクラッチを前記解放状態から前記係合状態に切り替える係合判断が行われた場合に、前記係合判断が行われた後、直ちに、前記係合制御を開始することを特徴とする請求項１に記載の車両用動力伝達機構の制御装置。
【請求項６】
前記係合制御を実行する場合に前記突出動作が完了する時点における前記差回転の目標値として第１目標差回転が設定されていて、
前記回転制御および前記係合制御の実行時に、前記差回転が前記第１目標差回転に到達した際に未だ前記突出動作が完了していない場合は、前記回転制御における前記差回転の変化速度が遅くなるように、前記モータを制御することを特徴とする請求項５に記載の車両用動力伝達機構の制御装置。
【請求項７】
前記車両は、内燃機関を有し、
前記車両用動力伝達機構は、
前記第１クラッチ部材もしくは前記第２クラッチ部材のいずれか一方が連結され、回転および移動することのない固定部と、
互いに差動作用を行う３つの回転要素を有するとともにそれら３つの回転要素のうちの第１回転要素に前記内燃機関が連結され、第２回転要素に前記モータおよび前記第１クラッチ部材もしくは前記第２クラッチ部材のいずれか他方が連結され、第３回転要素からトルクを出力する第１差動機構とを有している
ことを特徴とする請求項１から６のいずれかに記載の車両用動力伝達機構の制御装置。
【請求項８】
前記車両は、内燃機関を有し、
前記車両用動力伝達機構は、
前記第１クラッチ部材もしくは前記第２クラッチ部材のいずれか一方が連結され、回転および移動することのない固定部と、
互いに差動作用を行う３つの回転要素を有するとともにそれら３つの回転要素のうちの第１回転要素に前記内燃機関が連結され、第２回転要素に前記モータが連結され、第３回転要素からトルクを出力する第１差動機構と、
互いに差動作用を行う他の３つの回転要素を有するとともに、それら他の３つの回転要素のうちの第４回転要素に前記第１回転要素が連結され、第５回転要素に前記第２回転要素が連結され、第６回転要素に前記第１クラッチ部材もしくは前記第２クラッチ部材のいずれか他方が連結されるとともに前記第６回転要素の回転が止められることにより前記第５回転要素を前記第４回転要素とは反対方向に回転させるように構成された第２差動機構とを有している
ことを特徴とする請求項１から６のいずれかに記載の車両用動力伝達機構の制御装置。
【発明の詳細な説明】
【技術分野】
【０００１】
この発明は、車両の走行のための動力を伝達する機構を制御する装置に関し、特にセレクタブルワンウェイクラッチを備えている動力伝達機構の制御装置に関するものである。
【背景技術】
【０００２】
セレクタブルワンウェイクラッチ（以下、ＳＯＷＣと記す）を備えた車両用の変速機に関する発明が、特許文献１に記載されている。この特許文献１に記載されているＳＯＷＣは、互いに対向して配置された第１リングならびに第２リング、および、それら第１リングと第２リングとの間に配置されるストラットを備えている。第１リングには、ストラットの先端部が入り込んで係合するポケットが形成されている。第２リングには、貫通孔が形成されていて、その貫通孔の内部にストラットが収容されている。ストラットは、第２リングの背面側（第１リングに対向する面とは反対側）から貫通孔に差し込まれるアプライリングの突出歯によって、スプリングを介して、ポケット側に押し出されるように構成されている。ストラットおよびポケットは、ＳＯＷＣが前進方向でトルクを伝達する場合に係合するタイプと、ＳＯＷＣが後進方向でトルクを伝達する場合に係合するタイプとの２種類が設けられている。第１リングと第２リングとの間には、ブロッキングデバイスが所定の角度範囲内で回転するように配置されている。ブロッキングデバイスは、第１リングおよび第２リングと同様のリング状のプレートである。このブロッキングデバイスには、ストラットを貫通させる窓孔が形成されている。また、ブロッキングデバイスと第１リングとの間には、ブロッキングデバイスを第１リングから離す方向に押圧するリターン機構が設けられている。そして、上記のアプライリングは、アクチュエータによって回転軸線方向に移動させられるように構成されている。したがって、アクチュエータの推力によってアプライリングを第１リング側に押圧することにより、アプライリングおよび突出歯を介して、第２リングおよびブロッキングデバイスが第１リング側に押圧されるように構成されている。
【０００３】
上記のＳＯＷＣは、前進方向および後進方向のいずれの回転方向にも係合しない解放状態では、ブロッキングデバイスによってストラットが第２リングの貫通孔の内部に押し込められている。すなわち、第１リングとブロッキングプレートならびに第２リングとの間が完全に離れた状態になっている。そのような解放状態から、アクチュエータを作動させることにより、第２リングおよびブロッキングデバイスを第１リング側に押圧すると、ブロッキングデバイスが第１リングの対向面に接触する。第１リングに接触したブロッキングデバイスは、その際に生じる摩擦力によって第１リングの回転方向に回転させられる。そして、ブロッキングデバイスの窓孔の位置と第２リングの貫通孔（すなわちストラット）の位置とが回転方向で一致することにより、ストラットが窓孔から第１リング側に押し出される。その結果、ストラットの先端部と第１リングに形成されているポケットとが係合する。すなわち、ＳＯＷＣは係合状態に切り替わる。
【０００４】
なお、特許文献２には、ストラット、ストラットと係合するノッチが形成されたノッチプレート、ストラットを収容する凹部が形成されたポケットプレート、および、ストラットを貫通させる開口部が形成され、ストラットとノッチとの係合状態を制御するためのコントロールプレート等によって構成されるＳＯＷＣに関する発明が記載されている。
【先行技術文献】
【特許文献】
【０００５】
【特許文献１】米国特許出願公開第２００９／００８４６５３号
【特許文献２】米国特許出願公開第２０１３／００６２１５１号
【発明の概要】
【発明が解決しようとする課題】
【０００６】
上記の特許文献１に記載されているＳＯＷＣでは、ＳＯＷＣを解放状態（ＭＯＤＥ１）から係合状態（ＭＯＤＥ２）に切り替える場合に、第１プレートの回転数と第２プレートの回転数との差（差回転）が一旦負になるように制御される。その後、差回転が正になるように制御され、実際に差回転が正になった状態で、解放状態から係合状態に切り替わるようになっている。具体的には、一旦負の状態にされた差回転が正側に反転して上昇するように制御され、その差回転が０になった時点で、アクチュエータの作動が開始される。アクチュエータが作動することにより、ブロッキングデバイスが第１リングに接触して回転させられ、そのブロッキングデバイスの窓孔の位置と第２リングの貫通孔の位置とが一致することによって、ストラットがブロッキングデバイスの窓孔から突き出ることの可能な状態になる。すなわち、ストラットとポケットとが係合することが可能な状態になる。そして、差回転が正側の所定の差回転にまで上昇した状態で、ストラットがブロッキングデバイスの窓孔から突き出るように動作し、そのストラットの先端部が第１リングのポケットに係合することにより、ＳＯＷＣは係合状態に切り替わるようになっている。なお、このＳＯＷＣにおいて、差回転が正の状態は、ストラットとポケットとが噛み合う方向であり、第１リングと第２リングとの間でトルクを伝達することが可能になる回転状態である。差回転が負の状態は、ストラットとポケットとは噛み合わない方向であり、第１リングと第２リングとの間でトルクを伝達することがない回転状態である。
【０００７】
このように、特許文献１に記載されているＳＯＷＣでは、差回転が正のときにストラットとポケットが係合する。上述の通り差回転が正のときにはＳＯＷＣはトルクを伝達することが可能な状態になっていため、ポケット側に押圧されるストラットには、ストラットがポケット内に入り込んだ直後に荷重が掛かる場合がある。それに対して、この特許文献１に記載されているＳＯＷＣは、ストラットの動作を制御するためのブロッキングデバイスが、間接的に、いわゆる成り行きで動作するようになっていて、ブロッキングデバイスの動作を積極的に制御するようには構成されていない。そのため、この特許文献１に記載されているＳＯＷＣでは、ストラットがポケット内に入り込んだ直後に過大な荷重や衝撃力が掛かかってしまう場合がある。あるいは、ストラットがポケット内の所定の位置まで嵌まり込む途中の不完全な位置で、そのストラットとポケットとが係合してしまう場合がある。そのような不完全な位置でストラットが係合してしまうと、ストラットとポケットとの接触部分の面積が小さくなり、その接触部分の面圧が高くなってしまう。したがって、特許文献１に記載されているＳＯＷＣでは、ストラットに過大な荷重や衝撃力が掛かってしまうこと、あるいはストラットに作用する面圧が大きくなってしまうことにより、変形や欠損が生じ、その結果、ＳＯＷＣの耐久性が低下してしまう可能性がある。
【０００８】
この発明は、上記のような技術的課題に着目して考え出されたものであり、セレクタブルワンウェイクラッチを、適切に、かつ確実に、係合させることのできる車両用動力伝達機構の制御装置を提供することを目的とするものである。
【課題を解決するための手段】
【０００９】
上記の目的を達成するために、請求項１の発明は、相対回転可能な第１クラッチ部材ならびに第２クラッチ部材と、一部が前記第１クラッチ部材側から前記第２クラッチ部材側へ突出するように動作するストラットと、前記ストラットの前記第２クラッチ部材側への突出動作を許容する第１状態ならびに前記突出動作を阻止する第２状態を選択的に設定する切替機構とを有し、前記第１状態を設定して前記ストラットの一部が前記第２クラッチ部材側へ突出して前記第２クラッチ部材の一部と係合することにより正回転方向もしくは逆回転方向のいずれか一方向のみの前記相対回転を規制する係合状態と、前記第２状態を設定して前記ストラットを前記第２クラッチ部材側へ突出させないことにより正回転方向ならびに逆回転方向の両方向の前記相対回転を許容する解放状態とに切り替わるセレクタブルワンウェイクラッチ、および、前記第１回転部材もしくは前記第２回転部材のいずれか一方の回転部材の回転速度を制御することが可能なモータを備え、前記モータによって前記回転速度を制御することにより、前記セレクタブルワンウェイクラッチが前記係合状態になった場合に規制される方向の前記相対回転である正の差回転と、前記セレクタブルワンウェイクラッチが前記係合状態になった場合に許容される方向の前記相対回転である負の差回転とをそれぞれ生じさせることが可能な車両用動力伝達機構の制御装置において、前記差回転が負の状態の前記セレクタブルワンウェイクラッチを前記解放状態から前記係合状態に切り替える場合、負の状態の前記差回転が正の状態となるように、前記モータを制御する回転制御を実行するとともに、前記差回転が負の状態の間に前記突出動作が完了するように、前記切替機構で前記第１状態を設定する係合制御を開始することを特徴とするものである。
【００１０】
また、請求項２の発明は、請求項１の発明において、前記係合制御を実行する場合に前記突出動作が完了する時点における前記差回転の目標値として第１目標差回転が設定され、前記差回転が前記第１目標差回転に到達する際に前記突出動作が完了するように、前記係合制御の開始時期を決めるための前記差回転の閾値として第２目標差回転が設定されていて、前記差回転が前記第２目標差回転以上に正側に大きくなった場合に、前記係合制御を開始することを特徴とするものである。
【００１１】
また、請求項３の発明は、請求項２の発明において、現在の前記差回転が既に前記第２目標差回転よりも正側に大きい場合は、前記回転制御における前記差回転の変化速度が遅くなるように、前記モータを制御することを特徴とするものである。
【００１２】
また、請求項４の発明は、請求項２または３の発明において、前記回転制御および前記係合制御の実行時に、前記差回転が前記第１目標差回転に到達した際に未だ前記突出動作が完了していない場合は、前記回転制御における前記差回転の変化速度が遅くなるように、前記モータを制御することを特徴とするものである。
【００１３】
また、請求項５の発明は、請求項１の発明において、前記セレクタブルワンウェイクラッチを前記解放状態から前記係合状態に切り替える係合判断が行われた場合に、前記係合判断が行われた後、直ちに、前記係合制御を開始することを特徴とするものである。
【００１４】
また、請求項６の発明は、請求項５の発明において、前記係合制御を実行する場合に前記突出動作が完了する時点における前記差回転の目標値として第１目標差回転が設定されていて、前記回転制御および前記係合制御の実行時に、前記差回転が前記第１目標差回転に到達した際に未だ前記突出動作が完了していない場合は、前記回転制御における前記差回転の変化速度が遅くなるように、前記モータを制御することを特徴とするものである。
【００１５】
また、請求項７の発明は、請求項１から６のいずれかの発明において、前記車両が、内燃機関を有し、前記車両用動力伝達機構が、前記第１クラッチ部材もしくは前記第２クラッチ部材のいずれか一方が連結され、回転および移動することのない固定部と、互いに差動作用を行う３つの回転要素を有するとともにそれら３つの回転要素のうちの第１回転要素に前記内燃機関が連結され、第２回転要素に前記モータおよび前記第１クラッチ部材もしくは前記第２クラッチ部材のいずれか他方が連結され、第３回転要素からトルクを出力する第１差動機構とを有し、前記第２回転要素の前記内燃機関の回転方向と同方向の回転数が小さくなることにより、また、前記第２回転要素の前記内燃機関の回転方向とは逆方向の回転数が大きくなることにより、前記内燃機関の回転数が低下するように構成されていることを特徴とするものである。
【００１６】
そして、請求項８の発明は、請求項１から６のいずれかの発明において、前記車両が、内燃機関を有し、前記車両用動力伝達機構が、前記第１クラッチ部材もしくは前記第２クラッチ部材のいずれか一方が連結され、回転および移動することのない固定部と、互いに差動作用を行う３つの回転要素を有するとともにそれら３つの回転要素のうちの第１回転要素に前記内燃機関が連結され、第２回転要素に前記モータが連結され、第３回転要素からトルクを出力する第１差動機構と、互いに差動作用を行う他の３つの回転要素を有するとともに、それら他の３つの回転要素のうちの第４回転要素に前記第１回転要素が連結され、第５回転要素に前記第２回転要素が連結され、第６回転要素に前記第１クラッチ部材もしくは前記第２クラッチ部材のいずれか他方が連結されるとともに前記第６回転要素の回転が止められることにより前記第５回転要素を前記第４回転要素とは反対方向に回転させるように構成された第２差動機構とを有し、前記第２回転要素の前記内燃機関の回転方向と同方向の回転数が小さくなることにより、また、前記第２回転要素の前記内燃機関の回転方向とは逆方向の回転数が大きくなることにより、前記内燃機関の回転数が低下するように構成されていることを特徴とするものである。
【発明の効果】
【００１７】
請求項１の発明によれば、差回転が負の状態のセレクタブルワンウェイクラッチを解放状態から係合状態に切り替える場合、セレクタブルワンウェイクラッチの差回転が正側に上昇するようにモータの回転が制御される。それとともに、差回転が正になる前に、すなわち差回転が負の状態の間に、第１状態を設定してストラットが第２クラッチ部材側の係合する位置に突出する動作が完了するように、切替機構が作動させられる。その場合、例えば切替機構の作動時間やストラットが動作するのに要する時間を考慮して切替機構の作動を開始する時期、すなわち係合制御の開始時期を決めることにより、差回転が負の状態の間に、上記のようなストラットの突出動作を容易に完了させることができる。差回転が正の状態では、２つのクラッチ部材の間でトルクを伝達することが可能になるため、ストラットに荷重が掛かる可能性がある。一方、差回転が負の状態であれば、２つのクラッチ部材の間でトルクを伝達することがないので、ストラットに荷重が掛かることはなく、ストラットを容易に動作させることができる。したがって、差回転が負の状態で第１状態を設定することにより、ストラットの突出動作を容易に完了させることができる。その結果、ストラットに過大な荷重や衝撃力を掛けることなく、また、ストラットを所定の位置で、確実に係合させることができる。そのため、解放状態のセレクタブルワンウェイクラッチを適切に係合状態に切り替えることができる。
【００１８】
また、請求項２の発明では、上記のようにセレクタブルワンウェイクラッチの差回転が負の状態の間にストラットの突出動作を完了させる場合に、セレクタブルワンウェイクラッチの差回転を制御する際の目標値および閾値として、第１目標差回転および第２目標差回転が設定される。そして、差回転が第１目標差回転に到達する際にストラットの突出動作が完了するように、回転制御により正側に上昇させられる差回転が第２目標差回転に到達した時点で、係合制御が開始される。その場合、例えば切替機構の作動時間やストラットが動作するのに要する時間を考慮して上記の第１目標差回転および第２目標差回転を設定することにより、差回転が負の状態の間に、上記のようなストラットの突出動作を確実に完了させることができる。そのため、解放状態のセレクタブルワンウェイクラッチを、適切に、かつ確実に、係合状態に切り替えることができる。
【００１９】
また、請求項３の発明によれば、上記のような第１目標差回転および第２目標差回転を設定して回転制御および係合制御を実行する際に、セレクタブルワンウェイクラッチの差回転が既に第２目標差回転を正側に超えている場合には、回転制御における差回転の変化速度が低下させられる。その結果、その後に差回転が第１目標差回転に到達するまでに要する時間が延長されて、差回転が第１目標差回転に到達するまでにストラットの突出動作が完了するための余裕が生じる。そのため、差回転が負の状態の間に、上記のようなストラットの突出動作を確実に完了させることができる。
【００２０】
また、請求項４の発明によれば、上記のような第１目標差回転および第２目標差回転を設定して回転制御および係合制御を実行する際に、セレクタブルワンウェイクラッチの差回転が第１目標差回転に達してもなおストラットの突出動作が完了していない場合には、回転制御における差回転の変化速度が低下させられる。その結果、その後に差回転が０になって正側に転ずるまでに要する時間が延長されて、差回転が負の状態の間にストラットの突出動作が完了するための余裕が生じる。なお、上記のように差回転の変化速度を低下させる場合、差回転の変化速度を０もしくはほぼ０にして、ストラットの突出動作が完了するまで、実質的に差回転を第１目標差回転に維持するように制御してもよい。したがって、この請求項４の発明によれば、差回転が負の状態の間に、上記のようなストラットの突出動作を確実に完了させることができる。
【００２１】
また、請求項５の発明によれば、差回転が負の状態のセレクタブルワンウェイクラッチを解放状態から係合状態に切り替える場合、そのセレクタブルワンウェイクラッチの係合判断に伴って、切替機構の係合制御が直ちに開始される。そのため、ストラットの突出動作を可及的速やかに完了させることができる。したがって、解放状態のセレクタブルワンウェイクラッチを適切に係合状態に切り替えることができる。また、その係合状態の切り替えに要する時間を短縮して、制御の応答性を向上させることができる。
【００２２】
また、請求項６の発明では、上記のようにセレクタブルワンウェイクラッチの差回転が負の状態の間にストラットの突出動作を完了させる場合に、セレクタブルワンウェイクラッチの差回転を制御する際の目標値として第１目標差回転が設定される。また、セレクタブルワンウェイクラッチの係合判断に伴って切替機構の係合制御が直ちに開始されるとともに、差回転が第１目標差回転に到達する際にストラットの突出動作が完了するように、その係合制御および回転制御が実行される。そして、上記のような第１目標差回転を設定して回転制御および係合制御を実行する際に、セレクタブルワンウェイクラッチの差回転が第１目標差回転に達してもなおストラットの突出動作が完了していない場合には、回転制御における差回転の変化速度が低下させられる。その結果、その後に差回転が０になって正側に転ずるまでに要する時間が延長されて、差回転が負の状態の間にストラットの突出動作が完了するための余裕が生じる。なお、上記のように差回転の変化速度を低下させる場合、差回転の変化速度を０もしくはほぼ０にして、ストラットの突出動作が完了するまで、実質的に差回転を第１目標差回転に維持するように制御してもよい。したがって、この請求項６の発明によれば、差回転が負の状態の間に、上記のようなストラットの突出動作を確実に完了させることができる。
【００２３】
そして、請求項７および請求項８の各発明は、内燃機関の回転数を差動機構を介してモータによって制御できる動力伝達機構の制御装置に適用することができる。その場合に、差動機構のいずれかの回転要素の所定の方向の回転を、セレクタブルワンウェイクラッチによって選択的に規制することができる。そして、そのセレクタブルワンウェイクラッチを、解放状態から係合状態に、確実にかつ適切に切り替えることができる。
【図面の簡単な説明】
【００２４】
【図１】この発明を適用したハイブリッド車両における動力伝達機構の構成の一例を示す図である。
【図２】図１に示すハイブリッド車両における動力伝達機構を構成している遊星歯車機構についての共線図である。
【図３】この発明を適用したハイブリッド車両における動力伝達機構の他の構成例を示す図である。
【図４】図３に示すハイブリッド車両における動力分割機構およびオーバードライブ機構を構成している複合遊星歯車機構についての共線図である。
【図５】この発明で対象とすることのできるセレクタブルワンウェイクラッチの構成を示す断面図である。
【図６】図５に示すセレクタブルワンウェイクラッチにおける第１クラッチ板に形成されている収容部および第２クラッチ板に形成されているポケットを示す図である。
【図７】この発明の制御装置で実行される制御の一例を説明するためのフローチャートである。
【図８】図７のフローチャートで示す制御を実行した場合のセレクタブルワンウェイクラッチの差回転の変化の一例を示すタイムチャートである。
【図９】この発明の制御装置で実行される制御の他の例を説明するためのフローチャートの一部である。
【図１０】この発明を適用したハイブリッド車両における動力伝達機構の更に他の構成例を示す図である。
【図１１】図１０に示すハイブリッド車両における動力分割機構を構成している遊星歯車機構についての共線図である。
【発明を実施するための形態】
【００２５】
次に、この発明を、図を参照して具体的に説明する。この発明は、ハイブリッド車両における動力伝達機構を対象とした制御装置に適用することができる。そこで、先ず、その動力伝達機構の構成の一例を説明する。図１は、複軸で２モータ式のハイブリッド車両Ｖｅにおける動力伝達機構を模式的に示している。ハイブリッド車両Ｖｅは、駆動力源として、この発明における内燃機関に相当するエンジン（Ｅｎｇ）１、この発明におけるモータに相当する第１モータ（ＭＧ１）２、および、第２モータ（ＭＧ２）３を備えている。
【００２６】
第１モータ２は、主として、エンジン１の回転数の制御、および、エンジン１のクランキングを行うように構成されている。また、この第１モータ２は、２つのモータで走行する２モータ走行モード（２モータＥＶモード）では駆動力源の１つとして機能するように構成されている。そして、第１モータ２は、この発明における第１差動機構に相当する動力分割機構４に、エンジン１と共に連結されている。
【００２７】
動力分割機構４は、この図１に示す例では、サンギヤ５、キャリヤ６、および、リングギヤ７を回転要素とするシングルピニオン型の遊星歯車機構によって構成されている。各回転要素のうち、この発明における第２回転要素に相当するサンギヤ５に、第１モータ２のロータが連結されている。また、この発明における第１回転要素に相当するキャリヤ６に、エンジン１の出力軸（クランクシャフト）が連結されている。そして、この発明における第３回転要素に相当するリングギヤ７が出力要素となっている。リングギヤ７には、出力部材として出力ギヤ８が取り付けられている。出力ギヤ８は、カウンタドリブンギヤ９に噛み合っている。カウンタドリブンギヤ９が取り付けられているカウンタシャフト１０には、カウンタドリブンギヤ９より小径のカウンタドライブギヤ１１が取り付けられている。カウンタドライブギヤ１１は、デファレンシャルギヤ１２におけるリングギヤ１３に噛み合っている。そして、デファレンシャルギヤ１２から左右の駆動輪１４に駆動トルクを出力するようになっている。
【００２８】
第２モータ３は、主として、走行のための駆動力源として機能するように構成されている。第２モータ３のロータ軸には、ドライブギヤ１５が取り付けられている。ドライブギヤ１５は、前記のカウンタドリブンギヤ９に噛み合っている。このドライブギヤ１５は、カウンタドリブンギヤ９より小径のギヤである。したがって、ドライブギヤ１５およびカウンタドリブンギヤ９は減速機構を構成している。
【００２９】
そして、第１モータ２が連結されているサンギヤ５と、この発明における固定部に相当するケーシング１６との間に、セレクタブルワンウェイクラッチ（以下、ＳＯＷＣと記す）１７が設けられている。このＳＯＷＣ１７は、解放状態では、正回転および逆回転のいずれの方向の相対回転も可能にしてトルクを伝達することがなく、係合状態では、正回転もしくは逆回転のいずれか一方のみの相対回転を規制してその相対回転方向のトルクを伝達し、かつこれとは反対方向には相対回転を可能にしてトルクを伝達しないように構成されたクラッチである。ここで、正回転とは、エンジン１の回転方向と同方向の回転である。逆回転（もしくは負回転）とは、エンジン１の回転方向とは反対方向の回転である。また、このＳＯＷＣ１７は、前述した特許文献１に記載されたＳＯＷＣと同様に、トルクの伝達に関与する２つの回転部材間、すなわち、後述する第１クラッチ板２４と第２クラッチ板２５との間の回転数差（差回転）が正の場合に、ＳＯＷＣ１７でトルクを伝達することが可能になり、差回転が負の場合には、ＳＯＷＣ１７でトルクを伝達することがないように構成されている。なお、このＳＯＷＣ１７の具体的な構成については後述する。
【００３０】
上記の第１モータ２および第２モータ３は、図示しない蓄電装置やインバータなどのコントローラユニットに接続されている。また、各モータ２，３の間で相互に電力を授受できるように電気的に接続されている。そして、これらの蓄電装置やコントローラユニットあるいはＳＯＷＣ１７などを制御するための電子制御装置（ＥＣＵ）１８が設けられている。この電子制御装置１８は、マイクロコンピュータを主体にして構成されている。そしてこの電子制御装置１８には、車速やアクセル開度、エンジン回転数ならびに推定出力トルク、各モータ２，３の回転数ならびにトルク、および、ＳＯＷＣ１７の動作状態などの検出信号がデータとして入力されるように構成されている。一方、この電子制御装置１８からは、入力されたデータに基づいて演算されて求められた各モータ２，３やＳＯＷＣ１７を制御するための指令信号が出力されるように構成されている。
【００３１】
図２は、上記の動力分割機構４を構成している遊星歯車機構についての共線図である。図２の（ａ）は、ハイブリッドモード（ＨＶモードもしくはパワースプリットモード）での前進状態を示している。この図２の（ａ）の状態では、エンジン１が駆動状態になっていることにより、キャリヤ６が正回転している。また、車両Ｖｅが前進走行していることにより、リングギヤ７が正回転している。そして、ＳＯＷＣ１７は解放状態になっていて、サンギヤ５およびこれに連結されている第１モータ２は、正回転および逆回転のいずれの方向にも回転することができるようになっている。この図２の（ａ）の状態では、第１モータ２は正回転しつつ、発電機として機能している。すなわち、第１モータ２は負方向（図２の（ａ）における下向き）のトルクを出力していて、これによりエンジン１の回転数を燃費効率の良好な回転数に制御している。その場合に第１モータ２で発生した電力は第２モータ３に供給されている。そして第２モータ３がモータとして機能し、走行のための駆動力を出力している。
【００３２】
図２の（ｂ）は、上記の図２の（ａ）に示す状態と、後述する図２の（ｃ）に示す状態との間でＳＯＷＣ１７を切り替える過渡状態（遷移状態）を示している。すなわち、ＳＯＷＣ１７を解放状態（フリー）からサンギヤ５の正回転を止める係合状態（ロック）へ切り替える際の過渡状態を示している。この図２の（ｂ）の状態では、第１モータ２がモータとして機能してサンギヤ５を逆回転方向に回転させている。その結果、ＳＯＷＣ１７には負の差回転が生じている。すなわち、ＳＯＷＣ１７は、トルクを伝達しない状態になっている。したがって、この状態でＳＯＷＣ１７を係合状態に切り替える制御を実行すれば、ＳＯＷＣ１７の後述するストラットにトルクは掛からない。
【００３３】
図２の（ｃ）は、ＳＯＷＣ１７によってサンギヤ５の正回転を止めて、エンジン１の駆動力で前進走行している状態、もしくは、これに第２モータ３の駆動力を加えて前進走行している状態（いわゆるパラレルモード）を示している。この図２の（ｃ）の状態では、エンジン回転数（キャリヤ６の回転数）よりもリングギヤ７の回転数が大きくなり、リングギヤ７からトルクが出力される。この状態で第２モータ３をモータとして動作させれば、その駆動力が、リングギヤ７から出力される駆動力に付加され、デファレンシャル１２を介して駆動輪１４に伝達される。またこの場合、第１モータ２は、サンギヤ５と共に固定され、通電が止められている（ＯＦＦ状態になっている）。そのため、高車速で走行する際の燃費が良好になる。
【００３４】
図３は、この発明で対象とすることのできる動力伝達機構の他の構成例を示している。この図３に示す構成は、上述した図１に示す構成にオーバードライブ（Ｏ／Ｄ）機構１９を追加して設け、そのオーバードライブ機構１９をＳＯＷＣ１７によって選択的にロックするように構成した例である。オーバードライブ機構１９は、この発明における第２差動機構に相当し、この図３に示す例では、サンギヤ２０、キャリヤ２１、および、リングギヤ２２を回転要素とするダブルピニオン型の遊星歯車機構によって構成されている。この発明における第４回転要素に相当するキャリヤ２１に、前述した動力分割機構４におけるキャリヤ６が連結されている。したがって、これらのキャリヤ６およびキャリヤ２１に、エンジン１の出力トルクが伝達されるように構成されている。また、この発明における第５回転要素に相当するサンギヤ２０に、動力分割機構４におけるサンギヤ５が連結されている。したがって、これらのサンギヤ５およびサンギヤ２０に、第１モータ２のトルクが伝達されるように構成されている。さらに、ケーシング１６と、この発明における第６回転要素に相当するリングギヤ２２との間に、前述したＳＯＷＣ１７が配置されている。そのＳＯＷＣ１７によって、リングギヤ２２の所定方向の回転を規制（阻止）し、オーバードライブ状態を設定するように構成されている。したがって、動力分割機構４を構成しているシングルピニオン型遊星歯車機構、および、オーバードライブ機構１９を構成しているダブルピニオン型遊星歯車機構は、それぞれの回転要素が上記のように連結されることにより、いわゆる４要素の複合遊星歯車機構を構成している。この他の構成については、図１に示す構成と同様であるから、この図３に図１と同様の参照符号を付けてその説明を省略する。
【００３５】
図４は、上記の複合遊星歯車機構についての共線図であり、図４の（ａ）は、ハイブリッドモード（ＨＶモードもしくはパワースプリットモード）での前進状態を示している。この図４の（ａ）の状態では、エンジン１が駆動状態になっていることにより、キャリヤ６が正回転している。また、車両Ｖｅが前進走行していることにより、リングギヤ７が正回転している。そして、ＳＯＷＣ１７は解放状態になっていて、サンギヤ５もしくはリングギヤ２２、および、これらを回転させることのできる第１モータ２は、正回転および逆回転のいずれの方向にも回転することができるようになっている。この図４の（ａ）の状態では、第１モータ２は正回転しつつ、発電機として機能している。すなわち、第１モータ２は負方向（図４の（ａ）における下向き）のトルクを出力していて、これによりエンジン１の回転数を燃費効率の良好な回転数に制御している。その場合に第１モータ２で発生した電力は第２モータ３に供給されている。そして第２モータ３がモータとして機能し、走行のための駆動力を出力している。
【００３６】
図４の（ｂ）は、上記の図４の（ａ）に示す状態と、後述する図４の（ｃ）に示す状態との間でＳＯＷＣ１７を切り替える過渡状態（遷移状態）を示している。すなわち、ＳＯＷＣ１７を解放状態（フリー）からリングギヤ２２の正回転を止める係合状態（ロック）へ切り替える際の過渡状態を示している。この図４の（ｂ）の状態では、第１モータ２がモータとして機能してサンギヤ５もしくはリングギヤ２２を逆回転方向に回転させている。その回転数はリングギヤ２２が逆回転する回転数であり、ＳＯＷＣ１７には負の差回転が生じている。すなわち、ＳＯＷＣ１７は、トルクを伝達しない状態になっている。したがって、この状態でＳＯＷＣ１７を係合状態に切り替える制御を実行すれば、ＳＯＷＣ１７の後述するストラットにトルクは掛からない。
【００３７】
図４の（ｃ）は、リングギヤ２２の正回転をＳＯＷＣ１７によって止めて、エンジン１の駆動力で前進走行している状態、もしくは、これに第２モータ３の駆動力を加えて前進走行している状態を示している。この図４の（ｃ）の状態では、オーバードライブ機構１９におけるリングギヤ２２が正回転方向に回転しないように固定されている。そしてその状態でキャリヤ２１に正回転方向のトルクが入力されることにより、サンギヤ２０が逆回転する。動力分割機構４では、サンギヤ５がオーバードライブ機構１９におけるサンギヤ２０と一体となって逆回転する。したがって、動力分割機構４では、サンギヤ５が逆回転している状態でキャリヤ６にエンジン１のトルクが入力されることにより、出力要素であるリングギヤ７がキャリヤ６（すなわちエンジン１）よりも高回転数で回転する。すなわち、オーバードライブ状態となる。この状態で第２モータ３をモータとして動作させれば、その駆動力が、リングギヤ７から出力される駆動力に付加され、デファレンシャル１２を介して駆動輪１４に伝達される。なお、このオーバードライブ状態では、リングギヤ２２と共に第１モータ２が固定されてＯＦＦ状態に制御される。そのため、高車速で走行する際の燃費が良好になる。
【００３８】
ここで、ＳＯＷＣ１７の構成について説明する。この発明で対象とする動力伝達機構では、例えば、前述した特許文献１ならびに特許文献２に記載されたＳＯＷＣや、あるいは米国特許出願公開第２０１０／０２５２３８４号に記載されているＳＯＷＣなどを採用することができる。さらには、図５および図６に示すように構成されたＳＯＷＣ１７を採用することができる。これら図５および図６は、そのＳＯＷＣ１７における係合機構２３を示している。この係合機構２３は、主として、第１クラッチ板２４、第２クラッチ板２５、ストラット２６、および、作動機構２７から構成されている。
【００３９】
第１クラッチ板２４は、全体として円板状に形成されている。この第１クラッチ板２４に対向して、第１クラッチ板２４と同様に円板状に形成された第２クラッチ板２５が配置されている。これら各クラッチ板２４，２５のうち、第１クラッチ板２４が、この発明における第１クラッチ部材に相当し、第２クラッチ板２５が、この発明における第２クラッチ部材に相当している。そして、各クラッチ板２４，２５は、互いに相対回転できるように保持されている。例えば、一方のクラッチ板２４（２５）が、前述したケーシング１６に取り付けられている。他方のクラッチ板２５（２４）は、図１に示す例では、サンギヤ５に連結されている。あるいは、図３に示す例では、リングギヤ２２に連結されている。
【００４０】
第１クラッチ板２４の正面で回転中心から半径方向の外側にずれた箇所、すなわち外周側の所定箇所に、回転方向に長い凹部が形成されている。この凹部が、ストラット２６を収容する収容部２８となっている。また、第２クラッチ板２５の第１クラッチ板２４に対する対向面上における収容部２８と同一の半径位置に、収容部２８とほぼ同形状の凹部であるポケット２９が形成されている。上記の収容部２８には、断面形状が収容部２８の形状とほぼ等しい板状の係合片、すなわちストラット２６が収容されている。ストラット２６は、その長さ方向の中央部に、第１クラッチ板２４の半径方向に向けて設けられた支持ピン３０を中心にして揺動するように、収容部２８の内部に配置されている。収容部２８の凹部の深さは、支持ピン３０を境にして異なっている。具体的には、収容部２８のうち、図５での上側半分は、ストラット２６の厚さ程度の深さ、あるいはそれより僅かに深い程度の深さとなるように形成されている。そして、収容部２８の図５での下側半分は、ストラット２６の厚さより深く、ストラット２６が支持ピン３０を中心にして揺動できるように構成されている。
【００４１】
収容部２８のうち深さの浅い部分には、ストラット２６の一方の端部側を収容部２８から押し出す方向に弾性力を作用させるスプリング３１が配置されている。また、収容部２８のうち深さの深い部分には、ストラット２６の他方の端部側を収容部２８から押し出す方向に押圧するアクチュエータ３２が配置されている。このアクチュエータ３２は、ストラット２６の他方の端部側に押圧力を付与できるものであればよい。例えば、油圧ピストンなどの油圧式アクチュエータや、電磁力で推力を発生するソレノイドなどの電磁式アクチュエータを採用することができる。したがって、ストラット２６は、アクチュエータ３２がストラット２６の他方の端部を押圧していない状態では、一方の端部がスプリング３１に押圧されて収容部２８から、第２クラッチ部材２５側のポケット２９に向けて突出するように構成されている。また、アクチュエータ３２がストラット２６の他方の端部を押圧している状態では、ストラット２６がスプリング３１を圧縮する方向に支持ピン３０を中心にして回転し、ストラット２６の全体が収容部２８の内部に収まるように構成されている。言い換えると、ストラット２６の第２クラッチ部材２５側への突出を阻止するように構成されている。
【００４２】
このように、スプリング３１およびアクチュエータ３２は、ストラット２６を動作させる作動機構２７を構成している。そして、上記のように、アクチュエータ３２がストラット２６の他方の端部を押圧していない状態であって、ストラット２６の一方の端部がスプリング３１に押圧されて収容部２８から第２クラッチ部材２５側のポケット２９に向けて突出する状態が、ストラット２６の第２クラッチ板２５への突出を許容する状態である。すなわち、この発明における第１状態に相当している。また、アクチュエータ３２がストラット２６の他方の端部を押圧している状態であって、ストラット２６がスプリング３１を圧縮する方向に支持ピン３０を中心にして回転し、ストラット２６の全体が収容部２８の内部に収まる状態が、ストラット２６の第２クラッチ部材２５側への突出を阻止する状態である。すなわち、この発明における第２状態に相当している。したがって、上記のスプリング３１およびアクチュエータ３２によってストラット２６を動作させる作動機構２７が、この発明における切替機構に相当している。
【００４３】
なお、上記の係合機構２３においては、アクチュエータ３２による押圧力を緩和するため、あるいは、アクチュエータ３２がストラット２６の一方の端部を押圧している状態でのストラット２６の揺動を許容するために、アクチュエータ３２とストラット２６の一方の端部との間に、ばねなどの適宜の弾性部材を介在させてもよい。また、以下の説明では、アクチュエータ３２をＯＦＦ制御することにより、アクチュエータ３２がストラット２６の他方の端部を押圧して係合機構２３が解放状態になり、またアクチュエータ３２をＯＮ制御することにより、アクチュエータ３２がストラット２６の他方の端部の押圧を解除して係合機構２３が係合可能な状態になるように構成されている例について説明する。
【００４４】
第２クラッチ板２５に形成されたポケット２９は、上述したように収容部２８から突出したストラット２６の一方の端部を入り込ませて係合させる部分である。したがって、係合機構２３は、ストラット２６の一方の端部を第２クラッチ板２５側に突き出させた状態で、いずれかのクラッチ板２４，２５に正回転方向のトルクが作用すると、すなわち、第１クラッチ板２４に図５における上向きのトルクが作用すると、あるいは第２クラッチ板２５に図５における下向きのトルクが作用すると、収容部２８とポケット２９との間にストラット２６が噛み込まれる。その結果、各クラッチ板２４，２５が回転方向に一体化するように連結される。すなわち、第１クラッチ板２４の第２クラッチ板２５に対する図５における上方向に向けた相対回転が規制される。言い換えれば、第２クラッチ板２５の第１クラッチ板２４に対する図５における下方向に向けた相対回転が規制される。この場合に規制される回転方向は、前述した図１や図３に示す動力伝達機構においては正回転方向である。このようにして前述したサンギヤ５あるいはリングギヤ２２の正回転を規制（もしくは阻止）している状態が、係合機構２３すなわちＳＯＷＣ１７の係合状態である。
【００４５】
上記のようなＳＯＷＣ１７の係合状態で、いずれかのクラッチ板２４，２５に逆回転方向（負回転方向）のトルクが作用すると、すなわち、第１クラッチ板２４に図５での下向きのトルクが作用すると、あるいは第２クラッチ板２５に図５での上向きのトルクが作用すると、ストラット２６の表面が、第２クラッチ板２５におけるポケット２９の開口端のエッジ部分で押圧される。その結果、ストラット２６が、スプリング３１の弾性力に抗して収容部２８内に押し込められる。すなわち、ストラット２６による係合が解除され、各クラッチ板２４，２５が相対回転できる状態になる。そして、アクチュエータ３２によってストラット２６の他方の端部を押圧すると、ストラット２６が、スプリング３１を圧縮しつつ、その一方の端部を収容部２８に入り込ませる方向に回転させられる。その結果、ストラット２６が収容部２８の内部に収められる。したがって、各クラッチ板２４，２５を繋ぐ部材が存在しなくなるので、各クラッチ板２４，２５は正回転および逆回転のいずれの方向にも相対回転することができる状態になる。この状態が、係合機構２３すなわちＳＯＷＣ１７の解放状態である。
【００４６】
このようにＳＯＷＣ１７の係合状態および解放状態は、アクチュエータ３２が動作することにより切り替えられる。したがって、アクチュエータ３２の動作状態や動作量を検出することにより、その検出結果に基づいて、ＳＯＷＣ１７の係合状態および解放状態の判定を行うことができる。そのため、係合機構２３には、上記のような検出を行うためのストロークセンサ３３が設けられている。このストロークセンサ３３は、従来知られている適宜のセンサを適用することができる。例えば、アクチュエータ３２の動作量に応じて変化する静電容量や電気抵抗によってストロークを検出する形式のセンサや、光学的にストロークを検出する形式のセンサなどであってよい。また、ストロークを検出することに替えて、アクチュエータ３２の前進端と後退端とで信号を出力するいわゆるＯＮ／ＯＦＦセンサであってもよい。
【００４７】
上記のように、ＳＯＷＣ１７は、第１クラッチ板２４と第２クラッチ板２５との間の差回転が正の状態になることによってＳＯＷＣ１７が係合可能な状態になる。すなわち、ＳＯＷＣ１７の差回転が正の状態では、第１クラッチ板２４と第２クラッチ板２５との間でストラット２６がポケット２９に嵌まり込んで係合することにより、そのストラット２６を介して、第１クラッチ板２４と第２クラッチ板２５との間でトルク伝達が可能になる。したがって、ＳＯＷＣ１７は、仮にその差回転が正の状態でストラット２６をポケット２９に係合させる動作を行うと、ストラット２６がポケット２９内の所定の位置まで完全に嵌まり込む途中でストラット２６にトルクが掛かり、ストラット２６が中途半端な位置でポケット２９に係合してしまう場合がある。そのような中途半端な係合状態では、ストラット２６とポケット２９との接触部分に作用する面圧が高くなり、その結果、ストラット２６に掛かる負荷が大きくなってしまう可能性がある。また、ＳＯＷＣ１７の差回転が正の状態でストラット２６とポケット２９とが係合する際には、ストラット２６に対して他の回転部材からのイナーシャトルクが掛かり、ショックや衝撃力が発生してしまう可能性もある。
【００４８】
そこで、上記の動力伝達機構を対象としたこの発明に係る制御装置は、差回転が負の状態でＳＯＷＣ１７を係合状態にすることができよう、以下に説明する制御を実行するように構成されている。図７はその制御例を説明するためのフローチャートであって、この図７のフローチャートで示すルーチンは、所定の短時間毎に繰り返し実行される。また、この図７のフローチャートで示すルーチンは、ＳＯＷＣ１７が解放状態で車両Ｖｅが走行し、かつ、ＳＯＷＣ１７の差回転が負の状態であることを前提にして制御が実行される。
【００４９】
図７のフローチャートにおいて、先ず、ＳＯＷＣ１７を係合させるか否かが判断される（ステップＳ１）。未だＳＯＷＣ１７を係合させる要求がないことにより、このステップＳ１で否定的に判断された場合は、以降の制御を実行することなく、このルーチンを一旦終了する。
【００５０】
これに対して、ＳＯＷＣ１７を係合させる要求があること、すなわち、ＳＯＷＣ１７を解放状態から係合状態に切り替える係合判断が行われたことにより、ステップＳ１で肯定的に判断された場合には、ステップＳ２へ進む。例えば、図１に示す構成例において、エンジン１と第２モータ３の出力によって車両Ｖｅを前進走行させる際に第１モータ２およびサンギヤ５の回転をロックする場合に、係合判断が行われ、ＳＯＷＣ１７が係合させられる。あるいは、図３に示す構成例において、オーバードライブ状態を設定する際にオーバードライブ機構１９のリングギヤ２２の回転をロックする場合に、係合判断が行われ、ＳＯＷＣ１７が係合させられる。
【００５１】
ステップＳ２では、ＳＯＷＣ１７の差回転がアクチュエータＯＮ差回転よりも小さいか否かが判断される。アクチュエータＯＮ差回転は、ＳＯＷＣ１７を係合させるためにアクチュエータ１３のＯＮ制御を開始し、作動機構２７を作動させてストラット２６の第２クラッチ板２５への突出を許容する状態を設定する制御（すなわち、この発明における第１状態を設定する係合制御）を開始する差回転である。このアクチュエータＯＮ差回転は、ＳＯＷＣ１７の差回転が後述のロック側目標差回転に到達する際に、アクチュエータ１３およびストラット２６が第２クラッチ部材２５側に突出する動作が完了するように、係合制御の開始時期を決めるための差回転の閾値として設定されている。したがって、このアクチュエータＯＮ差回転が、この発明における第２目標差回転に相当している。なお、このアクチュエータＯＮ差回転は、例えば、係合制御を実行する際の作動機構２７の作動時間やアクチュエータ１３の応答性、およびストラットが突出動作するのに要する時間などを考慮して、実験やシミュレーションなどの結果を基に予め設定されている。
【００５２】
ＳＯＷＣ１７の差回転がアクチュエータＯＮ差回転よりも小さいことにより、ステップＳ２で肯定的に判断された場合には、ステップＳ３へ進む。そして、同期制御が開始される。ここでの同期制御とは、ＳＯＷＣ１７を係合させる際の一連の回転数制御のことであって、差回転が負の状態のＳＯＷＣ１７に対してその差回転を徐々に正側に上昇させてＳＯＷＣ１７を係合可能な状態にする制御である。具体的には、ＳＯＷＣ１７の差回転が、正側のロック側目標差回転まで上昇させられ、そのロック側目標差回転で維持するように、第１モータ２の回転が制御される。この場合のロック側目標差回転は、この同期制御でＳＯＷＣ１７の差回転を正の状態に維持する際の目標値であり、ＳＯＷＣ１７の差回転が正の状態でＳＯＷＣ１７の係合が可能になる差回転である。このロック側目標差回転は、例えば、エンジン１のトルク変動や外乱トルクの入力などの制御外乱による回転数のばらつき、および、遅れ時間やオーバーシュートなどの制御の応答性等を考慮して、ＳＯＷＣ１７を係合状態にするのに適した値として、実験やシミュレーションなどの結果を基に予め設定されている。また、このロック側目標差回転は、図８に示すように、後述するラチェット最低差回転の下限よりも低い値に設定されている。上記のように、この同期制御が、この発明における回転制御に相当している。
【００５３】
ステップＳ３で同期制御が実行されると、ＳＯＷＣ１７の差回転がアクチュエータＯＮ差回転以上になったか否か、すなわち、ＳＯＷＣ１７の差回転がアクチュエータＯＮ差回転以上に正側に大きくなったか否かが判断される（ステップＳ４）。
【００５４】
未だＳＯＷＣ１７の差回転がアクチュエータＯＮ差回転に到達していないことにより、このステップＳ４で否定的に判断された場合は、ステップＳ３へ戻り、上記の同期制御が継続される。
【００５５】
これに対して、ＳＯＷＣ１７の差回転がアクチュエータＯＮ差回転以上に正側に大きくなったことにより、ステップＳ４で肯定的に判断された場合には、ステップＳ５へ進む。そして、上記の同期制御が継続されるとともに、アクチュエータ１３のＯＮ制御が開始される。すなわち、係合制御が開始される。
【００５６】
一方、前述のステップＳ２で否定的に判断された場合には、ステップＳ６へ進む。そして、ＳＯＷＣ１７の差回転の変化レートが低減された後、すなわち、同期制御における差回転の変化速度が低下させられた後に、ステップＳ３へ進む。そして、上記のような同期制御が実行される。すなわち、このステップＳ６では、ステップＳ３で実行される同期制御におけるＳＯＷＣ１７の差回転の変化速度が遅くなるように、第１モータ２の回転が制御される。
【００５７】
このように、解放状態のＳＯＷＣ１７を係合状態に切り替えるのに際して、既に差回転がアクチュエータＯＮ差回転を正側に超えている場合に、上記のように同期制御における差回転の変化速度を低下させることにより、その後に差回転が、後述する突出動作終了目標差回転に到達するまでに要する時間を延長することができる。そのため、差回転が突出動作終了目標差回転に到達するまでにストラットの突出動作が完了するための余裕を生じさせることができ、その結果、差回転が負の状態の間に、ストラットの突出動作を完了させることができる。
【００５８】
上記のステップＳ５でアクチュエータ１３のＯＮ制御すなわち係合制御が開始されると、ＳＯＷＣ１７の差回転が突出動作終了目標差回転に到達したか否かが判断される（ステップＳ７）。この突出動作終了目標差回転は、上記のような係合制御を実行する場合にストラット２６の突出動作が完了する時点における差回転の目標値として設定されたものである。この突出動作終了目標差回転は、例えば、係合制御を実行する際の作動機構２７の作動時間やアクチュエータ１３の応答性、およびストラットが突出動作するのに要する時間などを考慮して、実験やシミュレーションなどの結果を基に予め設定することができる。したがって、この突出動作終了目標差回転が、この発明における第１目標差回転に相当している。
【００５９】
未だＳＯＷＣ１７の差回転が突出動作終了目標差回転に到達していないことにより、このステップＳ７で否定的に判断された場合は、再度、このステップＳ７の制御が実行される。すなわち、ＳＯＷＣ１７の差回転が突出動作終了目標差回転に到達するまで、このステップＳ７の制御が繰り返される。
【００６０】
これに対して、ＳＯＷＣ１７の差回転が突出動作終了目標差回転以上に正側に大きくなったことにより、ステップＳ７で肯定的に判断された場合には、ステップＳ８へ進む。そして、ストラット２６の突出動作が完了したか否かが判断される。上記のようにして係合制御が開始されると、アクチュエータ１３は、ストラット２６を第２クラッチ部材２５側へ突出させるためにストラット２６に対する押圧を解除するように動作する。そして、アクチュエータ１３による押圧が解除されたストラット２６は、スプリング３１によって押圧され、第２クラッチ部材２５のポケット２９側に突出するように動作する。したがって、ストラット２６の突出動作が完了したか否かの判断は、アクチュエータ１３の動作時間およびストラット２６の突出動作時間を推定し、それらの推定時間が経過したか否かを判断することにより行うことができる。あるいは、ストロークセンサ３３もしくはＯＮ／ＯＦＦセンサの検出信号に基づいてアクチュエータ１３のストローク位置を検出し、その検出情報とストラット２６の動作の推定時間とを総合して、ストラット２６の突出動作完了の判断を行うことができる。
【００６１】
ストラット２６の突出動作が完了したことにより、このステップＳ８で肯定的に判断された場合は、ステップＳ９へ進む。そして、上述の同期制御が継続される。
【００６２】
一方、未だストラット２６の突出動作が完了していないことにより、ステップＳ８で否定的に判断された場合には、ステップＳ１０へ進む。そして、ＳＯＷＣ１７の差回転の変化レートが低減される。すなわち、同期制御における差回転の変化速度が低下させられる。その後、上記のステップＳ８に戻り、同様の制御が再度実行される。すなわち、このステップＳ１０では、ステップＳ９で継続して実行される同期制御におけるＳＯＷＣ１７の差回転の変化速度が遅くなるように、第１モータ２の回転が制御される。
【００６３】
このように、解放状態のＳＯＷＣ１７を係合状態に切り替えるのに際して、差回転が突出動作終了目標差回転に到達した際に、未だストラット２６の突出動作が完了していない場合に、上記のように同期制御における差回転の変化速度を低下させることにより、その後に差回転が０になって正側に転ずるまでに要する時間を延長することができる。そのため、差回転が負の状態の間にストラット２６の突出動作が完了するための余裕が生じさせることができる。その結果、差回転が負の状態の間に、ストラットの突出動作を完了させることができる。
【００６４】
なお、上記のように同期制御における差回転の変化速度を低下させる場合、差回転の変化速度を０もしくはほぼ０にして、ストラット２６の突出動作が完了するまで、実質的に差回転を突出動作終了目標差回転に維持するように制御することもできる。また、突出動作終了目標差回転の絶対値を小さくすることにより、差回転が負の状態の間にストラット２６の突出動作が完了するための余裕を生じさせるように制御することもできる。
【００６５】
前述したように、このＳＯＷＣ１７の係合機構２３は、ＳＯＷＣ１７の差回転が正のときに係合可能な状態になる。それに加えて、このＳＯＷＣ１７には、差回転が過剰に大きい場合にストラット２６とポケット２９との係合を阻止するラチェット機能が設けられている。すなわち、このＳＯＷＣ１７は、ＳＯＷＣ１７の差回転が所定の差回転よりも高い場合には、ストラット２６がポケット２９の開口部分に弾かれて係合できない（すなわち、ラチェット作用を発揮する）ように構成されている。この場合の所定の差回転がラチェット最低差回転である。したがって、ＳＯＷＣ１７は、その差回転がラチェット最低差回転よりも低い場合に係合（ロック）可能となり、差回転がラチェット最低差回転よりも高い場合にはラチェットして係合不可能となるように構成されている。差回転が高い場合にＳＯＷＣ１７が係合すると、ストラット２６とポケット２９とが係合する際の衝撃が大きくなるが、上記のようなラチェット機能を設けることにより、係合時の衝撃やショックを抑制することができる。
【００６６】
さらに、ラチェット最低差回転は、係合機構２３の構造上、不可避的にばらつきが生じる。すなわち、ＳＯＷＣ１７は、その差回転がラチェット最低差回転の近傍になっている状態で、ロックする場合とラチェットする場合とのどちらも可能な場合がある。そのため、このロック回転制御では、図８に示すように、ラチェット最低差回転の上限と下限とが設定されている。言い換えると、ラチェット最低差回転は、ラチェット最低差回転の上限とラチェット最低差回転の下限とで区切られる所定の差回転域を有している。そして、ラチェット最低差回転の上限よりもＳＯＷＣ１７の差回転が高い場合には、ＳＯＷＣ１７は必ずラチェットして係合しないようになっている。一方、ラチェット最低差回転の下限よりもＳＯＷＣ１７の差回転が低い場合には、ＳＯＷＣ１７は必ず係合するようになっている。
【００６７】
続いて、ＳＯＷＣ１７の差回転が係合中止差回転よりも小さい否かが判断される（ステップＳ１１）。この係合中止差回転は、図８に示すように、上記のラチェット最低差回転の上限よりも高い値に設定されている。したがって、ＳＯＷＣ１７の差回転が係合中止差回転以上であることにより、このステップＳ１１で否定的に判断された場合は、ステップＳ１２へ進み、上記のロック回転制御を含む一連の同期制御を中止する係合中止制御が実行される。そして、このルーチンを一旦終了する。
【００６８】
これに対して、ＳＯＷＣ１７の差回転が係合中止差回転よりも低いことにより、ステップＳ１１で肯定的に判断された場合には、ステップＳ１３へ進む。そして、ＳＯＷＣ１７の差回転がリトライ差回転よりも低いか否かが判断される。このリトライ差回転は、図８に示すように、上記のラチェット最低差回転の上限よりも低く、かつ、ラチェット最低差回転の下限よりも高い値に設定されている。したがって、ＳＯＷＣ１７の差回転がこのリトライ差回転よりも高い場合は、ＳＯＷＣ１７はラチェットして係合できない可能性が高くなる。そのため、ＳＯＷＣ１７の差回転がこのリトライ差回転以上であることにより、このステップＳ１３で否定的に判断された場合は、ステップＳ１４へ進み、リトライ制御が実行される。具体的には、ＳＯＷＣ１７の差回転が一旦負側に低下させられる。例えば、上記のアクチュエータＯＮ差回転よりも負側に小さい所定の値に設定された差回転まで、ＳＯＷＣ１７の差回転が一旦低下させられる。そしてその後、このルーチンを一旦終了する。
【００６９】
一方、ＳＯＷＣ１７の差回転がこのリトライ差回転よりも低いことにより、ステップＳ１３で肯定的に判断された場合には、ステップＳ１５へ進む。そして、ＳＯＷＣ１７の差回転がほぼ０になったか否かが判断される。すなわち、このステップＳ１５では、ＳＯＷＣ１７が係合状態になったか否かが判断される。ロック側目標差回転に維持されていたＳＯＷＣ１７の差回転がほぼ０になることにより、ＳＯＷＣ１７が係合状態になったと判断することができる。したがって、未だＳＯＷＣ１７の差回転がほぼ０になっていないことにより、このステップＳ１５で否定的に判断された場合は、ステップＳ９へ戻り、同様に同期制御が継続される。
【００７０】
これに対して、ＳＯＷＣ１７の差回転がほぼ０になったことにより、ステップＳ１５で肯定的に判断された場合、すなわち、ＳＯＷＣ１７が係合状態になったと判断された場合には、ステップＳ１６へ進む。そして、第１モータ２からＳＯＷＣ１７へのトルク遷移が開始される。具体的には、第１モータ２の出力トルクが０になるように制御される。例えば、図１に示す構成例では、ＳＯＷＣ１７によって第１モータ２およびサンギヤ５の回転がロックされた状態で、第１モータ２の出力トルクが０にされる。あるいは、図３に示す構成例では、ＳＯＷＣ１７によってオーバードライブ機構１９のリングギヤ２２の回転がロックされた状態で、第１モータ２の出力トルクが０にされる。そしてその後、このルーチンを一旦終了する。  
【００７１】
上記の図７のフローチャートで示した制御を実行した場合のＳＯＷＣ１７の差回転の変化の一例を、図８のタイムチャートに示してある。車両Ｖｅが、差回転が負の状態のＳＯＷＣ１７を解放させて走行している状態で、ＳＯＷＣ１７を係合状態に切り替える判断が成立すると（時刻ｔ１）、前述した同期制御が開始されて（時刻ｔ２）、ＳＯＷＣ１７の差回転が徐々に正側に上昇するように第１モータ２の回転が制御される。
【００７２】
ＳＯＷＣ１７の差回転が正側に向けて徐々に上昇させられて、アクチュエータＯＮ差回転に到達すると、アクチュエータ１３がＯＮ状態に制御される（時刻ｔ３）。すなわち、係合制御が開始される。その後、差回転が突出動作終了目標差回転になった時点（時刻ｔ４）で、ストラット２６の突出動作が完了する。図７のフローチャートで説明したように、この時刻ｔ４の差回転が突出動作終了目標差回転に到達する時点で、ストラット２６の突出動作が未だ完了していなかった場合は、同期制御における差回転の変化速度が低下させられる。
【００７３】
上記のように時刻ｔ４でＳＯＷＣ１７の差回転が突出動作終了目標差回転に到達した際に、ストラット２６の突出動作が完了していることにより、同期制御が継続して実行される。そして、ＳＯＷＣ１７の差回転が、正側に設定されているロック側目標差回転に向けて上昇するように、第１モータ２の回転が制御される。そして、ＳＯＷＣ１７の差回転がロック側目標差回転になると、その差回転がロック側目標差回転で維持されるように、第１モータ２の回転がフィードバック制御される。前述したように、ロック側目標差回転は、ＳＯＷＣ１７が必ず係合する状態にあるラチェット最低差回転の下限よりも低い正側の値に設定されている。そのため、ＳＯＷＣ１７は、その差回転がロック側目標差回転に維持されている状態で、スムーズに係合状態に移行することができる。
【００７４】
上記のようにＳＯＷＣ１７の係合が完了することにより、ＳＯＷＣ１７の差回転が０になる（時刻ｔ５）。したがって、ＳＯＷＣ１７の差回転の変化をモニタしておくことにより、ＳＯＷＣ１７の係合完了を判断することができる。このようにしてＳＯＷＣ１７の係合完了が判断されると、第１モータ２からＳＯＷＣ１７へのトルク遷移が開始される（時刻ｔ６）。具体的には、第１モータ２の出力トルクが０になるように制御される。
【００７５】
以上、具体的に説明したように、この発明に係る制御装置によれば、差回転が負の状態のＳＯＷＣ１７を解放状態から係合状態に切り替える場合、ＳＯＷＣ１７の差回転が正側に上昇するように第１モータ２の回転制御、すなわち同期制御が実行される。それとともに、作動機構２７を作動させてストラット２６の第２クラッチ板２５への突出を許容する状態（第１状態）を設定することにより、すなわち係合制御を開始することにより、差回転が負の状態の間に、ストラットが第２クラッチ部材２５のポケット２９側に突出する動作が完了するように、作動機構２７が作動させられる。その場合、差回転を制御する際の目標値および閾値として、突出動作終了目標差回転（第１目標差回転）およびアクチュエータＯＮ差回転（第２目標差回転）が設定される。そして、差回転が突出動作終了目標差回転に到達する際にストラットの突出動作が完了するように、同期制御に（回転制御）より正側に上昇させられる差回転がアクチュエータＯＮ差回転に到達した時点で、係合制御が開始される。その場合、例えば作動機構２７の作動時間やストラット２６が突出動作を完了するのに要する時間などを考慮して、上記の突出動作終了目標差回転およびアクチュエータＯＮ差回転をそれぞれ設定することにより、差回転が負の状態の間に、上記のようなストラット２６の突出動作を完了させることができる。そのため、ストラット２６に過大な荷重や衝撃力を掛けることなく、容易に、ストラット２６をポケット２９に係合させることができる。また、ストラット２６をポケット２９内の所定の位置で、確実に係合させることができる。その結果、解放状態のＳＯＷＣ１７を適切に係合状態に切り替えることができる。さらに、上記のようにＳＯＷＣ１７を適切に係合状態へ切り替えることにより、ストラット２６が突出動作したにもかかわらずストラット２６とポケット２９とが係合せずにＳＯＷＣ１７が空転する状態、すなわち、いわゆるオーバーラン状態になる期間を可及的に短くすることができる。そのため、ＳＯＷＣ１７がオーバーラン状態のなった際に発生する可能性のある振動や騒音、およびストラット２６と第２クラッチ部材２５との接触部分における摩耗を抑制することができる。
【００７６】
なお、上述した制御例では、ＳＯＷＣ１７の係合判断が行われた場合に、ＳＯＷＣ１７の差回転がアクチュエータＯＮ差回転（第２目標差回転）に到達することにより、アクチュエータ１３のＯＮ制御すなわち係合制御を開始するように構成を示している。これに対して、この発明では、ＳＯＷＣ１７の係合判断が行われた場合に、直ちに、係合制御を開始するように構成することもできる。具体的には、図９にフローチャートの一部を示すように、ステップＳ１でＳＯＷＣ１７を解放状態から係合状態に切り替える係合判断が行われると、ステップＳ２０へ進む。そして、直ちに、すなわちＳＯＷＣ１７の差回転がアクチュエータＯＮ差回転（第２目標差回転）に到達するのを待つことなく、アクチュエータ１３のＯＮ制御すなわち係合制御が開始される。その後、ステップＳ３へ進み、ＳＯＷＣ１７の差回転を正側のロック側目標差回転まで上昇させてそのロック側目標差回転で維持する同期制御が開始される。このステップＳ３以降の制御内容、および、上記のステップＳ１で否定的に判断された場合の制御内容は、上述の図７のフローチャートで説明した制御内容と同じであるので、ここでは説明を省略する。
【００７７】
この図９のフローチャートで示す制御例では、差回転が負の状態のＳＯＷＣ１７を解放状態から係合状態に切り替える場合、そのＳＯＷＣ１７の係合判断に伴って、アクチュエータ１３をＯＮ制御する係合制御が、直ちに開始される。そのため、ストラット２６の突出動作を可及的速やかに完了させることができる。したがって、解放状態のＳＯＷＣ１７を適切に係合状態に切り替えることができ、また、その係合状態の切り替えに要する時間を短縮して、制御の応答性を向上させることができる。
【００７８】
また、上述した具体例は、ＳＯＷＣ１７を、サンギヤ５もしくはリングギヤ２２の回転を選択的に止めるブレーキとして使用した構成を示している。これに対して、この発明では、ＳＯＷＣ１７を、２つの回転部材の間で選択的にトルクを伝達するクラッチとして使用するように構成することもできる。その例を図１１に示してある。この図１１に示す構成例は、前述した図１に示す構成の一部を変更した例である。具体的には、動力分割機構４を構成している遊星歯車機構におけるキャリヤ６に、エンジン１に替えて出力ギヤ８が連結されている。また、リングギヤ７に、出力ギヤ８に替えてエンジン１が連結されている。さらに、この図１１に示すＳＯＷＣ１７は、リングギヤ７（エンジン１）とサンギヤ５とを選択的に連結するように構成されている。この場合のＳＯＷＣ１７の係合の方向は、エンジン１からサンギヤ５に対して正回転方向にトルクを伝達する方向である。この他の構成は、図１に示す構成と同様である。そのため、この図１１に図１と同様の符号を付けてその説明を省略する。
【００７９】
図１１に示す構成の動力伝達機構では、エンジン１が出力した動力を出力ギヤ８と第１モータ２とに分割するＨＶモード（もしくはパワースプリットモード）、および、動力分割機構４の差動作用を止めて動力分割機構４の全体を一体化させて回転させる直結モード（もしくはパラレルモード）を設定することができる。この図１１に示すＳＯＷＣ１７は、車両Ｖｅが上記の直結モードで前進走行する場合に係合させられる。
【００８０】
図１２は、図１１に示す動力分割機構４を構成している遊星歯車機構についての共線図である。図１２の（ａ）は、ＳＯＷＣ１７を解放して、車両ＶｅがＨＶモードで前進走行している状態を示している。この図１２の（ａ）に示す状態では、リングギヤ７に、エンジン１の正回転方向のトルクが伝達されている。これに対して、キャリヤ６には、車両Ｖｅが走行することに伴う逆回転方向の反力トルクが作用している。したがって、サンギヤ５には、逆回転方向のトルクが作用している。これは、エンジン１がサンギヤ５に対して正回転する方向のトルクであるが、ＳＯＷＣ１７が解放しているから、サンギヤ５は、例えば図１２の（ａ）に示すように逆回転する。この場合、サンギヤ５に連結されている第１モータ２が発電機として機能して、サンギヤ５に対して正回転方向（図１２の（ａ）における上方向）のトルクを反力として与える。その結果、キャリヤ６に連結されている出力ギヤ８に、エンジン１のトルクが増幅されて伝達される。また、第１モータ２によってエンジン１の回転数が燃費の良い回転数に制御される。さらに、第１モータ２で発生した電力が第２モータ３に供給され、第２モータ３がモータとして機能する。すなわち、電力に一旦変換されたエンジン１の動力の一部が、再度機械的な動力に変換されて駆動輪１４に伝達される。
【００８１】
図１２の（ｂ）は、上記の図１２の（ａ）に示す状態と、下記の図１２の（ｃ）に示す状態との間でＳＯＷＣ１７を切り替える過渡状態（遷移状態）を示している。すなわち、ＳＯＷＣ１７を解放状態（フリー）から、サンギヤ５とエンジン１との間の相対回転を規制する係合状態（ロック）へ切り替える際の過渡状態を示している。この図１２の（ｂ）の状態では、第１モータ２がモータとして機能してサンギヤ５を正回転方向に回転させている。その回転数は、サンギヤ５の回転数がエンジン１の回転数を上回る回転数である。言い換えると、第１モータ２が、サンギヤ５に対してエンジン１が相対的に逆回転（負回転）するように制御される。このような相対回転が、この発明における差回転に相当していて、この図１２の（ｂ）で示す状態では、負の差回転となっている。すなわち、ＳＯＷＣ１７はトルクを伝達しない状態になっている。したがって、この状態でＳＯＷＣ１７を係合状態に切り替える制御を実行すれば、ＳＯＷＣ１７のストラット２６にトルクは掛からない。なお、この図１２の（ｂ）の状態では、差回転の方向や第１モータ２のトルクおよび回転方向は、前述した図２や図４の共線図に示す例とは反対になるが、上記のように、図１１に示すＳＯＷＣ１７は、この図１２の（ｂ）の状態で生じる差回転が負になるように構成されている。そのため、図７もしくは図１０のフローチャートに示す制御例と同様に制御して、ＳＯＷＣ１７を確実かつ適切に係合させることができる。
【００８２】
図１２の（ｃ）は、車両Ｖｅが直結モードで前進走行している状態を示している。前進走行状態では、上述したように、サンギヤ５には逆回転させる方向のトルクが作用し、エンジン１がサンギヤ５に対して相対的に正回転しようとする。そのため、ＳＯＷＣ１７を係合状態に制御すると、前述したストラット２６が、第１クラッチ板２４の収容部２８と第２クラッチ板２５のポケット２９との間に挟み込まれて（噛み込まれて）、サンギヤ５とエンジン１とが正回転方向に一体となって回転するように連結される。その結果、動力分割機構４は、２つの回転要素が一体化されるので、全体が一体となって回転する。すなわち、エンジン１が出力ギヤ８に直結された状態となる。
【００８３】
なお、上記の図１０に示す構成は、ＳＯＷＣ１７の第１クラッチ板２４に第１モータ２が連結されていて、その第１モータ２によって第１クラッチ板２４の回転速度を制御するようになっている。一方、前述の図１に示す構成は、ＳＯＷＣ１７の第２クラッチ板２５に第１モータ２が連結されていて、その第１モータ２によって第２クラッチ板２５の回転速度を制御するようになっている。また、前述の図３に示す構成は、ＳＯＷＣ１７の第２クラッチ板２５に、オーバードライブ機構１９を介して、第１モータ２が連結されていて、その第１モータ２によって第２クラッチ板２５の回転速度を制御するようになっている。このように、第１モータ２は、ＳＯＷＣ１７の第１クラッチ板２４もしくは第２クラッチ板２５のいずれか一方のクラッチ部材の回転速度を制御することが可能な構成となっていて、この発明のモータに相当している。
【００８４】
また、この発明は上述したようなハイブリッド車両Ｖｅに搭載される動力伝達機構以外に、有段変速機や無段変速機を備えた動力伝達機構の制御装置に適用することができる。したがって、この発明におけるモータは、ＳＯＷＣのみを制御するためのモータであってもよい。
【符号の説明】
【００８５】
１…エンジン（Ｅｎｇ）、  ２…第１モータ（ＭＧ１）、  ３…第２モータ（ＭＧ２）、  ４…動力分割機構、  ５…サンギヤ、  ６…キャリヤ、  ７…リングギヤ、  ８…出力ギヤ、  ９…カウンタドリブンギヤ、  １６…ケーシング、  １７…セレクタブルワンウェイクラッチ（ＳＯＷＣ）、  １８…電子制御装置（ＥＣＵ）、  １９…オーバードライブ（Ｏ／Ｄ）機構、  ２０…サンギヤ、  ２１…キャリヤ、  ２２…リングギヤ、  ２３…係合機構、  ２４…第１クラッチ板、  ２５…第２クラッチ板、  ２６…ストラット、  ２７…作動機構、  ２８…収容部、  ２９…ポケット、  ３０…支持ピン、  ３１…スプリング、  ３２…アクチュエータ、  ３３…ストロークセンサ、  Ｖｅ…ハイブリッド車両。
【図１】
2015209054.tif 000003
【図２】
2015209054.tif 000004
【図３】
2015209054.tif 000005
【図４】
2015209054.tif 000006
【図５】
2015209054.tif 000007
【図６】
2015209054.tif 000008
【図７】
2015209054.tif 000009
【図８】
2015209054.tif 000010
【図９】
2015209054.tif 000011
【図１０】
2015209054.tif 000012
【図１１】
2015209054.tif 000013